(57)【要約】【課題】  長尺状の基材の上面に凸部が形成された滑り止め部材を階段などの段部に装着させた場合に、周囲が暗い状態であっても、滑り止め部材の存在を適切に検知できるようにすると共に、滑り止め部材を長く使用した結果、滑り止め部材における凸部が摩耗して滑り止め効果が減少した場合に、これを適切に検知して、滑り止め部材を適切に交換できるようにする。【解決手段】  長尺状の基材１１の上面に凸部１２が形成されてなる滑り止め部材１０において、前記の凸部が上段部１２１と下段部１２２とを有するようにし、この上段部を前記の基材の色彩と異なる輝度の色彩で構成した。【選択図】  図３
2014152516.tif 000002
【特許請求の範囲】
【請求項１】
長尺状の基材の上面に凸部が形成されてなる滑り止め部材において、前記の凸部が上段部と下段部とを有し、前記の上段部が前記の基材の色彩と異なる輝度の色彩で構成されていることを特徴とする滑り止め部材。
【請求項２】
請求項１に記載の滑り止め部材において、長尺状の基材の上面に凸部が複数設けられ、少なくとも一部の凸部が上段部と下段部とを有し、上段部が前記の基材の色彩と異なる輝度の色彩で構成されていることを特徴とする滑り止め部材。
【請求項３】
請求項１又は請求項２に記載の滑り止め部材において、前記の凸部が長尺状の基材の長手方向に沿って設けられていることを特徴とする滑り止め部材。
【請求項４】
請求項１〜請求項３の何れか１項に記載の滑り止め部材において、基材の色彩と異なる輝度の色彩で構成された前記の上段部に、下方に向かって収縮した収縮部を設けたことを特徴とする滑り止め部材。
【請求項５】
請求項１〜請求項４の何れか１項に記載の滑り止め部材が、段部に装着されることを特徴とする滑り止め部材。
【請求項６】
請求項１〜請求項５の何れか１項に記載の滑り止め部材が、装着用金具に着脱可能に装着されることを特徴とする滑り止め部材。
【発明の詳細な説明】
【技術分野】
【０００１】
本発明は、長尺状の基材の上面に凸部が形成されてなる滑り止め部材に関するものである。特に、前記のような滑り止め部材を、階段のような段部等に装着させた場合に、周囲が暗い状態においても、幼児や年配者や目の不自由な人が滑り止め部材の存在を適切に検知して、階段のような段部等の存在を適切に確認できるようにすると共に、この滑り止め部材を長く使用した結果、基材の上面に形成された凸部が摩耗して滑り止め効果が減少した場合に、これを適切に検知できるようにした点に特徴を有するものである。
【背景技術】
【０００２】
従来から、階段などの段部の昇降時等において人が滑るのを防止するため、長尺状の基材の上面に凸部が形成されてなる滑り止め部材を階段などの段部に取り付けることが行われている。
【０００３】
また、近年においては、周囲が暗い状態においても、幼児や年配者や目の不自由な人が、滑り止め部材の存在を適切に検知できるようにして、階段などの段部の存在を適切に確認できるようにすることが行われている。
【０００４】
例えば、特許文献１においては、合成樹脂シートの踏み面部に、合成樹脂シートと異なる色の合成樹脂テープを貼着させるようにしたものや、合成樹脂シートの踏み面部に設けられた滑り止め用の凸部間に、異なる色の合成樹脂テープを貼着させるようにしたものが提案されている。
【０００５】
また、特許文献２においては、階段の踏み板に装着される装着金具の上面側に、複数の凸部面を有する踏み面部を着脱自在に固定させると共に、この踏み面部における凸面部の何れかを他の部分と異なる色になるようにして、押し出し成形により一体成形したものが提案されている。
【０００６】
しかし、前記の特許文献１や特許文献２に示されるものにおいては、滑り止め部材の存在を適切に検知して、階段などの段部の存在を適切に確認することができるが、滑り止め部材を長く使用した結果、基材の上面に形成された凸部が摩耗して、滑り止め部材における滑り止め効果が減少した場合に、これを適切に検知して、滑り止め部材を適切に交換させることができず、凸部が摩耗して滑りやすくなった状態においても、滑り止め部材が使用され続け、十分な安全性を確保することが困難になるという問題があった。
【先行技術文献】
【特許文献】
【０００７】
【特許文献１】特開平１１−７１８７７号公報
【特許文献２】実用新案登録第３０９７４３６号公報
【発明の開示】
【発明が解決しようとする課題】
【０００８】
本発明は、長尺状の基材の上面に凸部が形成されてなる滑り止め部材における前記のような問題を解決することを課題とするものである。
【０００９】
すなわち、本発明は、前記のような滑り止め部材を階段などの段部に装着させた場合において、周囲が暗い状態においても、幼児や年配者や目の不自由な人が滑り止め部材の存在を適切に検知して、階段などの段部の存在を適切に確認できるようにすると共に、この滑り止め部材を長く使用した結果、基材の上面に形成された凸部が摩耗して、滑り止め部材における滑り止め効果が減少した場合に、これを適切に検知して、滑り止め部材を適切に交換できるようにすることを課題とするものである。
【課題を解決するための手段】
【００１０】
本発明においては、前記のような課題を解決するため、長尺状の基材の上面に凸部が形成されてなる滑り止め部材において、前記の凸部が上段部と下段部とを有するようにし、前記の上段部を前記の基材の色彩と異なる輝度の色彩で構成するようにした。
【００１１】
ここで、このような滑り止め部材において、前記の凸部の上段部が存在する状態では、この上段部が基材の色彩と異なる輝度の色彩で構成されているため、周囲が暗い状態においても、幼児や年配者や目の不自由な人が滑り止め部材の存在を適切に検知することができる。
【００１２】
そして、この滑り止め部材の使用により、基材の色彩と異なる輝度の色彩になった上段部が摩耗すると、上段部の下における下段部が露出して、凸部の色彩が変化し、滑り止め部材の交換時期を適切に検知することができるようになると共に、露出した凸部の下段部によって、ある程度の滑り止め効果が維持されるようになる。
【００１３】
また、前記の滑り止め部材において、長尺状の基材の上面に凸部が複数設けられている場合には、少なくとも一部の凸部が上段部と下段部とを有し、上段部が前記の基材の色彩と異なる輝度の色彩で構成されるようにすることができる。
【００１４】
ここで、長尺状の基材の上面に設ける凸部の形状等は特に限定されず、長尺状の基材の長手方向に沿って凸部を基材の上面にライン状に設けるようにしたり、凸部を基材の上面に散点状に設けるようにすることもできる。なお、凸部を長尺状の基材の長手方向に沿ってライン状に設ける場合には、前記の上段部と下段部とを有する凸部を押し出し成形により一体成形することが簡単に行えるようになる。
【００１５】
また、上段部と下段部とを有する凸部を設けるにあたっては、一定厚みになった上段部を下段部の上に設けるようにする他、前記の上段部に下方に向かって収縮した収縮部を設けることもできる。そして、このように上段部に下方に向かって収縮した収縮部を設けた場合、滑り止め部材の使用により凸部の上段部が摩耗されると、基材の色彩と異なる輝度の色彩になった上段部の大きさが次第に減少し、このように上段部の大きさが減少するのを検知して、滑り止め部材の交換時期を予測し、新しい滑り止め部材を予め準備しておくこともでき、滑り止め部材の滑り止め効果が大きく低下する前に、滑り止め部材を適切に交換することができるようになる。
【００１６】
また、前記の滑り止め部材を使用する場所は特に限定されないが、階段などの段部を適切に検知できるようにするため、この滑り止め部材を、階段などの段部に装着させるようにすることが好ましい。
【００１７】
また、前記の滑り止め部材を、階段などの段部等に直接取り付けるようにすることもできるが、この滑り止め部材における凸部が摩耗して滑り止め効果が低下した場合に、この滑り止め部材だけを簡単に交換できるようにするため、前記の滑り止め部材を装着用金具に着脱可能に装着させ、この装着用金具を介して、滑り止め部材を段部等に取り付けるようにすることが好ましい。
【発明の効果】
【００１８】
本発明における滑り止め部材においては、長尺状の基材の上面に凸部を設けるにあたり、前記の凸部が上段部と下段部とを有するようにし、上段部を基材の色彩と異なる輝度の色彩で構成したため、凸部の上段部と基材の部分との輝度差によって滑り止め部材が目立つようになり、周囲が暗い状態においても、幼児や年配者や目の不自由な人が滑り止め部材の存在を適切に検知して、階段のような段部等の存在を適切に確認できるようになる。
【００１９】
また、この滑り止め部材の使用により、基材の色彩と異なる輝度の色彩になった上段部が摩耗すると、凸部の下段部が露出して凸部の色彩が変化し、滑り止め部材の交換時期を適切に検知することができるようになると共に、露出した凸部の下段部によってある程度の滑り止め効果が維持され、安全性を確保することもできるようになる。
【図面の簡単な説明】
【００２０】
【図１】本発明の一実施形態に係る滑り止め部材を示し、（Ａ）は概略側面図、（Ｂ）は概略斜視図である。
【図２】前記の実施形態に係る滑り止め部材を装着用金具に着脱可能に装着させた状態を示した概略側面図である。
【図３】前記の実施形態に係る滑り止め部材を装着用金具に装着させた状態で、段部の上面角部に取り付けた状態を側方から見た概略説明図である。
【図４】前記の実施形態に係る滑り止め部材を装着用金具に装着させた状態で、段部の上面角部に取り付けた状態を上から見た概略部分平面図である。
【図５】前記の実施形態において、装着用金具により段部の上面角部に取り付けられた滑り止め部材の凸部における上段部が摩耗して下段部が露出した状態を示し、（Ａ）は側方から見た概略説明図、（Ｂ）は上から見た概略部分平面図である。
【図６】前記の実施形態において、装着用金具により段部の上面角部に取り付けられた滑り止め部材の凸部における上段部の一部が摩耗して下段部が露出した状態を上から見た概略部分平面図である。
【図７】前記の実施形態に係る滑り止め部材において、凸部における上段部に下方に向かってテーパー状に収縮した１つの収縮部を設けた変更例の滑り止め部材を示した部分説明図である。
【図８】図７に示した変更例の滑り止め部材を使用した場合において、凸部の摩耗により上段部の幅が変化する状態を示し、（Ａ）は凸部の摩耗する前の状態を上から見た概略部分平面図、（Ｂ）は凸部がある程度摩耗した状態を上から見た概略部分平面図である。
【図９】前記の実施形態に係る滑り止め部材において、凸部における上段部に下方に向かってテーパー状に収縮した収縮部を複数連続して設けた変更例の滑り止め部材を示した部分説明図である。
【図１０】図９に示した変更例の滑り止め部材を使用した場合において、凸部がある程度摩耗した状態を上から見た概略部分平面図である。
【図１１】前記の実施形態に係る滑り止め部材において、凸部における下段部を上段部の内部に設けた変更例の滑り止め部材を示した部分説明図である。
【図１２】図１１に示した変更例の滑り止め部材を使用した場合において、凸部がある程度摩耗した状態を上から見た概略部分平面図である。
【図１３】前記の実施形態に係る滑り止め部材において、凸部における下段部を上段部の内部に設けると共に、上段部に下方に向かってテーパー状に収縮した収縮部を基材の内部まで設けた変更例の滑り止め部材を示した部分説明図である。
【図１４】前記の実施形態に係る滑り止め部材おいて、基材の上面に設ける凸部の形状を変更させた変更例を示した部分説明図である。
【図１５】前記の実施形態に係る滑り止め部材において、段部の上面角部に滑り止め部材を直接取り付ける変更例を示し、この滑り止め部材を段部の上面角部に直接取り付けた状態を側方から見た概略説明図である。
【発明を実施するための最良の形態】
【００２１】
以下、この発明の実施形態に係る滑り止め部材を添付図面に基づいて具体的に説明する。なお、この発明に係る滑り止め部材は、特に下記の実施形態に示したものに限定されるものではなく、その要旨を変更しない範囲において適宜変更して実施できるものである。
【００２２】
この実施形態に係る滑り止め部材１０においては、図１（Ａ），（Ｂ）に示すように、合成樹脂で構成された長尺状の基材１１の上面に、基材１１の長手方向に沿った凸部１２が基材１１の幅方向に所要間隔を介して複数設けられ、各凸部１２が上面側に位置する上段部１２１とこの上段部１２１の下に位置する下段部１２２とで構成されると共に、凸部１２の上段部１２１が前記の基材１１の色彩と異なる輝度の色彩で構成される一方、下段部１２２が基材１１の色彩と同じ色彩で構成されている。
【００２３】
ここで、このような滑り止め部材１０を製造するにあたっては、例えば、前記の基材１１部と凸部１２における下段部１２２とを一緒に押し出すようにすると共に、前記の下段部１２２の上に基材１１の色彩と異なる輝度の色彩の上段部１２１を押し出すようにして成形することができる。
【００２４】
また、この滑り止め部材１０における基材１１と凸部１２の材料は、同じ材料であっても、異なる材料であってもよいが、凸部１２における摩耗を抑制して、滑り止め部材１０を長期にわたって使用できるようにするためには、凸部１２を低摩耗性の材料で構成することが好ましい。
【００２５】
また、この実施形態においては、図２に示すように、前記の滑り止め部材１０を着脱可能に装着させる長尺状の装着用金具２０として、前面部に階段などの段部１の蹴上げ部１ａに取り付ける前面カバー部２１が設けられると共に、段部１の踏み面１ｂに取り付けられる取付面部２２の上面側に前記の滑り止め部材１０を着脱可能に装着させる装着凹部２３が設けられたものを用い、前記の滑り止め部材１０における基材１１の幅方向両側の部分を、前記の装着凹部２３の幅方向両側に設けられた係止部２４に係止させて、この装着用金具２０に滑り止め部材１０を着脱可能に装着させるようにしている。
【００２６】
そして、図３に示すように、前記のようにして滑り止め部材１０が装着された装着用金具２０における前記の前面カバー部２１を段部１の蹴上げ部１ａの前に装着させると共に、装着用金具２０における取付面部２２を段部１の踏み面１ｂにビス等の取付部材（図示せず）で取り付けて、段部１の上面角部に取り付けるようにする。
【００２７】
このようにして滑り止め部材１０が装着された装着用金具２０を階段などの段部１の上面角部に取り付けた場合、図４に示すように、滑り止め部材１０における基材１１と、この基材１１の色彩と異なる輝度の色彩で構成された凸部１２の上段部１２１とが露出し、前記の基材１１と上段部１２１とにおける色彩の輝度の差によって滑り止め部材１０の存在が目立ち、周囲が暗い状態においても、幼児や年配者や目の不自由な人が滑り止め部材１０の存在を適切に検知して、階段などの段部１の存在を適切に確認できるようになる。なお、前記のように、周囲が暗い状態においても、滑り止め部材１０の存在を適切に検知できるようにするためには、基材１１と凸部１２の上段部１２１とにおける色彩の輝度比を２以上にすることが好ましく、また凸部１２間における基材１１の部分或いは凸部１２の上段部１２１に蓄光材料等を含有させることもできる。
【００２８】
そして、このように滑り止め部材１０が装着された装着用金具２０を階段などの段部１に取り付けて使用した結果、前記の滑り止め部材１０が踏まれ、滑り止め部材１０における凸部１２が次第に摩耗されて、例えば、図５（Ａ），（Ｂ）に示すように、この凸部１２における上段部１２１が摩耗されてなくなった場合には、上段部１２１の下にある基材１１と同じ色彩になった下段部１２２が露出し、これにより滑り止め部材１０における凸部１２が多く摩耗されていることを検知することができ、装着用金具２０に装着された滑り止め部材１０を、新しい滑り止め部材１０に交換させるようにすることができる。
【００２９】
また、前記のように凸部１２の上段部１２１が摩耗されてなくなった場合においても、この凸部１２における下段部１２２が、基材１１から突出した状態で残るため、この下段部１２２によってある程度の滑り止め効果が維持され、安全性を確保することができるようになる。
【００３０】
また、前記の滑り止め部材１０における一定した部分が多く踏まれ、滑り止め部材１０における凸部１２の特定の部分が多く摩耗される場合においては、図６に示すように、多く踏まれた部分における上段部１２１だけが摩耗されて、基材１１と同じ色彩になった下段部１２２が露出し、これにより凸部１２が多く摩耗されて、滑り止め効果が低下した部分を適切に検知できるようになる。そして、このように基材１１と同じ色彩になった下段部１２２が露出した滑り止め部材１０の部分を避けることにより、十分な滑り止め効果が得られ、滑り止め部材１０を安全な状態で長期にわたって使用できるようになる。
【００３１】
なお、この実施形態における滑り止め部材１０においては、基材１１の上面に設けられた各凸部１２を上段部１２１と下段部１２２とで構成し、各凸部１２の上段部１２１を基材１１の色彩と異なる輝度の色彩で構成するようにしたが、滑り止め部材１０において目立つ部分における一部の凸部１２だけを上段部１２１と下段部１２２とで構成して、この一部の凸部１２における上段部１２１だけを基材１１の色彩と異なる輝度の色彩で構成させるようにすることもできる。
【００３２】
また、この実施形態における滑り止め部材１０においては、基材１１の上面に設けられた凸部１２において、基材１１の色彩と異なる輝度の色彩で構成された上面側に位置する上段部１２１が略一定の厚みになって、上段部１２１と下段部１２２との境界面が水平面になるように構成したが、図７に示すように、基材１１の色彩と異なる輝度の色彩で構成された上段部１２１に、下方に向かって幅が収縮した１つの収縮部１２１ａを設けるようにすることもできる。
【００３３】
そして、このように上段部１２１に下方に向かって幅が収縮した１つの収縮部１２１ａを設けた滑り止め部材１０の場合、この滑り止め部材１０が新しい状態では、図８（Ａ）に示すように、基材１１の色彩と異なる輝度の色彩で構成された上段部１２１が幅広い状態で確認される一方、滑り止め部材１０が使用されて、滑り止め部材１０における凸部１２が次第に摩耗されると、図８（Ｂ）に示すように、上段部１２１から下方に向かって幅の収縮した収縮部１２１ａが露出されて、前記の上段部１２１の幅が次第に減少されるようになる。
【００３４】
このため、基材１１の色彩と異なる輝度の色彩で構成された上段部１２１に下方に向かって幅が収縮した１つの収縮部１２１ａを設けた場合には、上段部１２１の幅の変化を見て、滑り止め部材１０における凸部１２の摩耗状態を検知することができ、滑り止め部材１０の交換時期を予測して、新しい滑り止め部材１０を予め準備することもでき、滑り止め部材１０の滑り止め効果が大きく低下する前に、滑り止め部材１０を適切に交換することができるようになる。
【００３５】
また、図７に示す滑り止め部材１０においては、前記のように上段部１２１に下方に向かって幅が収縮した収縮部１２１ａを１つ設けるようにしただけであるが、図９に示すように、上段部１２１に下方に向かって幅が収縮した収縮部１２１ａを連続するように複数設けて、上段部１２１の下段側をジグザグ状に形成することもできる。
【００３６】
そして、このように上段部１２１に下方に向かって幅が収縮した収縮部１２１ａを連続するように複数設けた滑り止め部材１０の場合、この滑り止め部材１０が使用されて、滑り止め部材１０における凸部１２が次第に摩耗されると、図１０に示すように、上段部１２１から下方に向かって幅の収縮した複数の収縮部１２１ａが、前記の下段部１２２の中に所要間隔を介してライン状に露出するようになり、これに基づいて、滑り止め部材１０における凸部１２の摩耗状態を検知して、滑り止め部材１０の交換時期を予測できるようになる。
【００３７】
また、この実施形態における滑り止め部材１０においては、基材１１の上面に凸部１２を設けるにあたり、基材１１の色彩と異なる輝度の色彩で構成された上面側に位置する上段部１２１を下段部１２２の上に設けるようにしただけであるが、図１１に示すように、下段部１２２を覆うようにして上段部１２１を設け、下段部１２２を上段部１２１の内部に位置させるようにすることもできる。
【００３８】
そして、このように下段部１２２を上段部１２１の内部に位置させた滑り止め部材１０の場合、この滑り止め部材１０が使用されて、滑り止め部材１０における凸部１２が次第に摩耗されると、図１２に示すように、上段部１２１の内部に設けられた下段部１２２が上段部１２１に挟まれた状態で露出するようになり、これに基づいて、滑り止め部材１０における凸部１２の摩耗状態を検知して、滑り止め部材１０の交換時期を予測できるようになる。
【００３９】
さらに、図１１に示すように、下段部１２２を覆うようにして上段部１２１を設け、下段部１２２を上段部１２１の内部に位置させるようにした滑り止め部材１０において、図１３に示すように、下段部１２２の両側に位置する上段部１２１から下方に向かって基材１１の内部まで延出された延出部１２１ｂを設けるようにすることも可能である。
【００４０】
このようにすると、図１１に示した滑り止め部材１０の場合と同様に、滑り止め部材１０における凸部１２が次第に摩耗されると、上段部１２１の内部に設けられた下段部１２２が上段部１２１に挟まれた状態で露出するようになり、これに基づいて、滑り止め部材１０における凸部１２の摩耗状態を検知して、滑り止め部材１０の交換時期を予測できるようになる。さらに、上段部１２１から下方に向かって基材１１の内部まで延出された延出部１２１ｂによる楔効果により、滑り止め部材１０における凸部１２が基材１１に強固に取り付けられるようになる。
【００４１】
また、この実施形態における滑り止め部材１０においては、合成樹脂で構成された長尺状の基材１１の上面に上段部１２１と下段部１２２とで構成された凸部１２を設けるにあたり、基材１１の長手方向に沿った凸部１２を基材１１の幅方向に所要間隔を介して複数設けるようにしたが、基材１１の上面に設ける凸部１２の形状等はこのようなものに限定されず、例えば、図１４に示すように、基材１１の上面に、上段部１２１と下段部１２２とで構成された平面円形状の凸部１２を散点状に設けるようにすることもできる。
【００４２】
また、この実施形態においては、滑り止め部材１０を装着用金具２０に着脱可能に装着させて、段部１の上面角部に取り付けるようにしたが、装着用金具２０を用いずに、滑り止め部材１０を段部１の上面角部に直接取り付けるようにすることもできる。
【００４３】
例えば、図１５に示すように、滑り止め部材１０における基材１１の上面に、前記のような上段部１２１と下段部１２２とで構成された凸部１２を設けると共に、この基材１１の前面側に前面カバー部１３を設け、この基材１１の下面に段部１の踏み面１ｂに取り付けると共に、前記の前面カバー部１３を段部１の蹴上げ部１ａの前に取り付けるようにすることもできる。
【符号の説明】
【００４４】
１  段部、１ａ  蹴上げ部、１ｂ  踏み面
１０  滑り止め部材
１１  基材
１２  凸部、１２１  上段部、１２１ａ  収縮部、１２１ｂ  延出部、１２２  下段部
１３  前面カバー部
２０  装着用金具
２１  前面カバー部
２２  取付面部
２３  装着凹部
２４  係止部
【図１】
2014152516.tif 000003
【図２】
2014152516.tif 000004
【図３】
2014152516.tif 000005
【図４】
2014152516.tif 000006
【図５】
2014152516.tif 000007
【図６】
2014152516.tif 000008
【図７】
2014152516.tif 000009
【図８】
2014152516.tif 000010
【図９】
2014152516.tif 000011
【図１０】
2014152516.tif 000012
【図１１】
2014152516.tif 000013
【図１２】
2014152516.tif 000014
【図１３】
2014152516.tif 000015
【図１４】
2014152516.tif 000016
【図１５】
2014152516.tif 000017